(57)【要約】【課題】  オンライン分析計の異常指示値の早期発見と対処を可能にするオンライン分析計の異常診断方法。【解決手段】  ナフサ組成の変動状況を複数の異なるオンライン分析計を用いて監視し、ナフサ組成の変動に応じてナフサの流量制御を行う化学プロセスで、下記工程用いる。  第１工程：ナフサ密度とナフサの代表成分の含有量との相関を示す上限値と下限値とで囲まれる領域を設定する  第２工程：オンラインナフサ密度計の指示値とオンラインプロセスガスクロマトグラフィーによるナフサ代表成分の分析値を一組のプロセス値として表示する  第３工程：第１工程の設定領域を正常値監視領域として、第２工程のプロセス値を監視し、正常値監視領域外に該プロセス値が位置した場合に警告する  第４工程：警告に応じてナフサ密度を実測する  第５工程：ナフサ密度の実測値に基づいて、オンラインナフサ密度計等異常の有無を判断する【選択図】  図１
2006234630.tif 000002
【特許請求の範囲】
【請求項１】
ナフサ組成の変動状況を複数の異なるオンライン分析計を用いて監視し、該ナフサ組成の変動に応じてナフサの流量制御を行う化学プロセスにおいて、下記第１工程〜第５工程を含むオンライン分析計の異常診断方法。
第１工程：ナフサ密度とナフサの代表成分の含有量との相関を示す上限値および下限値とで囲まれる領域を設定する工程
第２工程：オンラインナフサ密度計の指示値とオンラインプロセスガスクロマトグラフィーによるナフサの代表成分の分析値を一組のプロセス値として表示する工程
第３工程：第１工程の設定領域を正常値監視領域として、第２工程のプロセス値を監視し、正常値監視領域外に該プロセス値が位置した場合に警告を発する工程
第４工程：第３工程の警告に応じてナフサ密度を実測する工程
第５工程：前記ナフサ密度の実測値に基づいて、オンラインナフサ密度計またはオンラインプロセスガスクロマトグラフィーの異常の有無を判断する工程
【請求項２】
前記第１工程のナフサの代表成分がノルマルペンタンである請求項１記載のオンライン分析計の異常診断方法。
【請求項３】
前記第１工程〜第３工程をコンピュータにより実行する請求項１または２記載のオンライン分析計の異常診断方法。
【発明の詳細な説明】
【技術分野】
【０００１】
本発明は、オンライン分析計の異常診断方法に関する。さらに詳しくは、オンライン分析計の異常指示値の早期発見および対処を可能にするオンライン分析計の異常診断方法に関するものである。
【背景技術】
【０００２】
化学プロセスにおいて、取り扱う化学物質の変動状況を常に正確に把握しておくことは極めて重要である。そのために、化学物質の組成分析や密度変化測定を連続的に行い、オンラインで監視することが行われている。しかし、センサーの汚れやサンプルの供給条件の変動等の原因により、必ずしも常に正常値を示すとは限らない。一般にプロセスの異常を診断する方法として、対象プロセスから順次一組のプロセスデータを収集し、プロセスデータが異常であるか否かを診断する異常診断方法において、(a) 一組のプロセスデータについて、予め、一方のデータの上限を設定する点を他方のデータに対応させて複数点プロットして第1の折れ線関数を設定する手順と、(b) 一組のプロセスデータについて、予め、一方のデータの下限を設定する点を他方のデータに対応させて複数点プロットして第2の折れ線関数を設定する手順と、(c) 対象プロセスからデータ収集を実行しつつ、収集した一組のデータが第1の折れ線関数と第2の折れ線関数とで挟まれる領域に存在しない場合に当該一組のデータにつき異常出力をする手順とを有する異常診断方法が開示されている（特許文献１参照）。しかし、プロセスデータを収集し、上限、下限を折れ線関数で設定する方法を、簡単なプロセスデータに適用するのは煩雑であり、また、複数の異なるオンライン分析計を用いてプロセスの監視を行う場合に、より簡便な異常診断方法が求められていた。
【０００３】
【特許文献１】特開平５−２８８５８０号公報（第１頁〜第４頁）
【発明の開示】
【発明が解決しようとする課題】
【０００４】
かかる状況において、本発明が解決しようとする課題は、オンライン分析計の異常指示値を速やかに発見し、早期の対処を可能にするオンライン分析計の異常診断方法を提供することである。
【課題を解決するための手段】
【０００５】
すなわち、請求項１に係る発明は、ナフサ組成の変動状況を複数の異なるオンライン分析計を用いて監視し、該ナフサ組成の変動に応じてナフサの流量制御を行う化学プロセスにおいて、下記工程を含むオンラインナフサ分析計の異常診断方法である。
第１工程：ナフサ密度とナフサの代表成分の含有量との相関を示す上限値および下限値とで囲まれる領域を設定する工程
第２工程：オンラインナフサ密度計の指示値とオンラインプロセスガスクロマトグラフィーによるナフサ代表成分の分析値を一組のプロセス値として表示する工程
第３工程：第１工程の設定領域を正常値監視領域として、第２工程のプロセス値を監視し、正常値監視領域外に該プロセス値が位置した場合に警告を発する工程
第４工程：第３工程の警告に応じてナフサ密度を実測する工程
第５工程：前記ナフサ密度の実測値に基づいて、オンラインナフサ密度計またはオンラインプロセスガスクロマトグラフィーの異常の有無を判断する工程
前記第１工程のナフサの代表成分がノルマルペンタンである場合、第１工程〜第３工程をコンピュータにより実行する場合は、本発明を一層効果的に実施することができる。
【発明の効果】
【０００６】
本発明により、オンライン分析計の異常指示値の早期発見および対処を可能にするオンライン分析計の異常診断方法の提供が可能になった。
【発明を実施するための最良の形態】
【０００７】
本発明の異常診断方法は、ナフサ組成の変動状況を複数のオンライン分析計を用いて監視している化学プロセスに適用されるものである。例えば、ナフサ密度と相関関係があり、かつプロセスガスクロ値のようなオンラインで測定できるナフサ組成とオンライン密度計の測定値とを監視している場合、まず、ナフサ密度とナフサの代表成分の含有量との相関を示す上限値および下限値とで囲まれる領域を設定する。次いで、オンラインナフサ密度計の指示値とオンラインプロセスガスクロマトグラフィーによるナフサ代表成分の分析値を一組のプロセス値として表示する。前記のナフサ密度とナフサの代表成分の含有量との相関を示す上限値および下限値とで囲まれる設定領域を正常値監視領域として、オンラインナフサ密度計の指示値とオンラインプロセスガスクロマトグラフィーによるナフサ代表成分の分析値を一組のプロセス値として監視し、正常値監視領域外に該プロセス値が位置した場合に警告を発するようにして、その警告に応じてナフサ密度を実測し、この実測値に基づいて、オンラインナフサ密度計またはオンラインプロセスガスクロマトグラフィーの異常の有無を判断し、適切に対処するのである。
【０００８】
この場合、ナフサ代表成分の値としてノルマルペンタンを採用することにより、一層信頼できるプロセス値になる。また、ナフサ密度とナフサの代表成分の含有量との相関を示す上限値および下限値とで囲まれる領域を設定する工程、オンラインナフサ密度計の指示値とオンラインプロセスガスクロマトグラフィーによるナフサ代表成分の分析値を一組のプロセス値として表示する工程、前記設定領域を正常値監視領域として、プロセス値を監視し、正常値監視領域外に該プロセス値が位置した場合に警告を発する工程等をコンピュータに実行させることにより、本発明をより効果的に実施することができる。
【実施例】
【０００９】
本発明を実施例に基づいて、より具体的に説明するが、もとより本発明はこれらの実施例に限定されるものではない。
【００１０】
実施例１
図１は、ナフサ密度とナフサ中のノルマルペンタン濃度の相関を示す図である。横軸はナフサ密度を示しオンライン密度計で測定した値であり、縦軸はナフサの代表成分であるノルマルペンタンの値をオンラインプロセスガスクロマトグラフィーで測定した値である。線１はナフサ密度とノルマルペンタン濃度の関係を示す線であり、実験的にナフサ密度とノルマルペンタン濃度の関係を求めて決定した両者の相関関係を示す線である。線１を囲むように線２で囲まれた範囲は、実験的に求めた両者の相関関係をノルマルペンタン濃度の偏差３％に相当する範囲で囲んだものであり、この範囲にプロセス運転中のオンライン測定値が入っている場合、すなわちオンラインプロセスガスクロマトグラフィーおよびオンライン密度計の１つのプロセス値が点４で示される場合は、オンラインプロセスガスクロマトグラフィーとオンライン密度計は正常に働いていると考えてよい。点３の如くノルマルペンタン濃度の偏差３％に相当する範囲外にプロセス値がある場合、異常を示す警告を発する。ここで、線２で囲まれた範囲が広すぎると、すなわちノルマルペンタン濃度の偏差の設定を大きくしすぎるとオンライン分析計の異常を見逃すことになり、逆に偏差の設定を小さくしすぎるとオンライン分析計が正常に働いているにも係わらず警告を発してしまうことになる。警告に応じて密度浮標でナフサ密度を実測し、ナフサ密度の実測値とオンライン密度計の測定値との偏差が大きい場合は、オンライン密度計の異常と判断する。ナフサ密度の実測値とオンライン密度計の測定値との偏差が小さい場合は、オンラインプロセスガスクロマトグラフィーの異常と判断する。このように、図１のようなグラフをプロセス運転の計器室に常時表示し、異常時に警告を発することにより早期にオンライン分析計の異常を発見することができる。
【図面の簡単な説明】
【００１１】
【図１】ナフサ密度とナフサ中のノルマルペンタン濃度の相関を示す図である。
【符号の説明】
【００１２】
１…ナフサ密度とノルマルペンタン濃度の関係を示す線、２…偏差・・で囲んだ正常値を示す範囲、３…異常値を示す点、４…正常値を示す点
【図１】
2006234630.tif 000003